(57)【特許請求の範囲】
【請求項１】
物理アップリンクチャネル信号伝送方法において、
物理アップリンク制御チャネル情報に対するサイクリックシフト及び直交カバーを確認する段階と；
前記確認されたサイクリックシフト及び前記直交カバーを前記物理アップリンク制御チャネル情報に適用する段階と；
前記確認されたサイクリックシフト及び直交カバーに適用された前記物理アップリンク制御チャネル情報をサブフレームの２つのスロットに位置する２つの資源ブロック各々にマッピングする段階と；
前記確認されたサイクリックシフト及び直交カバーに適用され、前記２つの資源ブロックにマッピングされた前記アップリンク制御チャネル情報を伝送する段階と；を含み、
前記２つの資源ブロックのうちいずれか一方の資源ブロックの第２スロットでの位置は、前記２つの資源ブロックのうち他方の資源ブロックの第１スロットでの位置と比較したとき、異なっており、
ｎｓｍｏｄ２＝１である場合、前記サブフレームの２つのスロットのうち第２スロット内での物理アップリンク制御チャネルの資源は、下記の数式に基盤して形成され、
【数１】
0005400069.tif 000091
ここで、ｎｓは、スロットのインデックス、
【数２】
0005400069.tif 000092
は、前記物理アップリンク制御チャネルに対する資源インデックス、
【数３】
0005400069.tif 000093
は、前記資源ブロックで前記物理アップリンク制御チャネルに対して使用されたサイクリックシフトの数、
【数４】
0005400069.tif 000094
は、周波数ドメインで前記資源ブロックのサイズ、ｄは、あらかじめ決定されたパラメータ、
【数５】
0005400069.tif 000095
は、上位階層によってシグナリングされるパラメータ、
【数６】
0005400069.tif 000096
であることを特徴とする物理アップリンクチャネル信号伝送方法。
【請求項２】
ｎｓｍｏｄ２＝０である場合、前記サブフレームの２つのスロットのうち第１スロット内での物理アップリンク制御チャネルの資源は、下記の数式に基盤して形成され、
【数７】
0005400069.tif 000097
ここで、ｎｓは、スロットのインデックス、
【数８】
0005400069.tif 000098
は、前記物理アップリンク制御チャネルに対する資源インデックス、
【数９】
0005400069.tif 000099
は、前記資源ブロックで前記物理アップリンク制御チャネルに対して使用されたサイクリックシフトの数、
【数１０】
0005400069.tif 000100
は、周波数ドメインで前記資源ブロックのサイズ、
【数１１】
0005400069.tif 000101
は、上位階層によってシグナリングされるパラメータ、
【数１２】
0005400069.tif 000102
であることを特徴とする請求項１に記載の物理アップリンクチャネル信号伝送方法。
【請求項３】
一般サイクリックプレフィックスに対してはｄ＝２であり、
拡張されたサイクリックプレフィックスに対してはｄ＝０であることを特徴とする請求項2に記載の物理アップリンクチャネル信号伝送方法。
【請求項４】
前記物理アップリンク制御チャネル情報は、確認（ａｃｋｎｏｗｌｅｄｇｅｍｅｎｔ）及び非確認（ｎｏｎ−ａｃｋｎｏｗｌｅｄｇｅｍｅｎｔ）のうち少なくとも１つを含むことを特徴とする請求項3に記載の物理アップリンクチャネル信号伝送方法。
【請求項５】
前記物理アップリンク制御チャネル情報は、チャネル品質指示を含むことを特徴とする請求項4に記載の物理アップリンクチャネル信号伝送方法。
【請求項６】
前記物理アップリンク制御チャネル情報は、チャネル品質指示と、確認（ａｃｋｎｏｗｌｅｄｇｅｍｅｎｔ）及び非確認（ｎｏｎ−ａｃｋｎｏｗｌｅｄｇｅｍｅｎｔ）のうち少なくとも１つを含むことを特徴とする請求項5に記載の物理アップリンクチャネル信号伝送方法。
【請求項７】
前記物理アップリンク制御チャネル情報は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）資源ブロックで伝送されることを特徴とする請求項6に記載の物理アップリンクチャネル信号伝送方法。
【請求項８】
前記サブフレームの２つのスロットのうち第２スロット内の前記物理アップリンク制御チャネルの資源は、前記サイクリックシフト及び前記直交カバーを含むことを特徴とする請求項7に記載の物理アップリンクチャネル信号伝送方法。
【請求項９】
前記サイクリックシフト及び前記直交カバーは、前記サイクリックシフト及び前記直交カバー各々に相当するn’(ns)の関数によって個別的に決定されることを特徴とする請求項8に記載の物理アップリンクチャネル信号伝送方法。
【請求項１０】
物理アップリンクチャネル信号伝送装置において、
物理アップリンク制御チャネル情報に対するサイクリックシフト及び直交カバーを確認し、前記確認されたサイクリックシフト及び前記直交カバーを前記物理アップリンク制御チャネル情報に適用し、前記確認されたサイクリックシフト及び直交カバーに適用された前記物理アップリンク制御チャネル情報をサブフレームの２つのスロットに位置する２つの資源ブロック各々にマッピングする信号処理部と；
前記確認されたサイクリックシフト及び直交カバーに適用され、前記２つの資源ブロックにマッピングされた前記アップリンク制御チャネル情報を伝送する伝送アンテナ部と；を含み、
前記２つの資源ブロックのうちいずれか一方の資源ブロックの第２スロットでの位置は、前記２つの資源ブロックのうち他方の資源ブロックの第１スロットでの位置と比較するとき、異なっており、
ｎｓｍｏｄ２＝１である場合、前記サブフレームの２つのスロットのうち第２スロット内での物理アップリンク制御チャネルの資源は、下記の数式に基盤して形成され、
【数１３】
0005400069.tif 000103
ここで、ｎｓは、スロットのインデックス、
【数１４】
0005400069.tif 000104
は、前記物理アップリンク制御チャネルに対する資源インデックス、
【数１５】
0005400069.tif 000105
は、前記資源ブロックで前記物理アップリンク制御チャネルに対して使用されたサイクリックシフトの数、
【数１６】
0005400069.tif 000106
は、周波数ドメインで前記資源ブロックのサイズ、ｄは、あらかじめ決定されたパラメータ、
【数１７】
0005400069.tif 000107
は、上位階層によってシグナリングされるパラメータ、
【数１８】
0005400069.tif 000108
であることを特徴とする装置。
【請求項１１】
ｎｓｍｏｄ２＝０である場合、前記サブフレームの２つのスロットのうち第１スロット内での物理アップリンク制御チャネルの資源は、下記の数式に基盤して形成され、
【数１９】
0005400069.tif 000109
ここで、ｎｓは、スロットのインデックス、
【数２０】
0005400069.tif 000110
は、前記物理アップリンク制御チャネルに対する資源インデックス、
【数２１】
0005400069.tif 000111
は、前記資源ブロックで前記物理アップリンク制御チャネルに対して使用されたサイクリックシフトの数、
【数２２】
0005400069.tif 000112
は、周波数ドメインで前記資源ブロックのサイズ、
【数２３】
0005400069.tif 000113
は、上位階層によってシグナリングされるパラメータ、
【数２４】
0005400069.tif 000114
であることを特徴とする請求項１０に記載の装置。
【請求項１２】
一般サイクリックプレフィックスに対してはｄ＝２であり、
拡張されたサイクリックプレフィックスに対してはｄ＝０であることを特徴とする請求項11に記載の装置。
【請求項１３】
前記物理アップリンク制御チャネル情報は、確認（ａｃｋｎｏｗｌｅｄｇｅｍｅｎｔ）及び非確認（ｎｏｎ−ａｃｋｎｏｗｌｅｄｇｅｍｅｎｔ）のうち少なくとも１つを含むことを特徴とする請求項12に記載の装置。
【請求項１４】
前記物理アップリンク制御チャネル情報は、チャネル品質指示を含むことを特徴とする請求項13に記載の装置。
【請求項１５】
前記物理アップリンク制御チャネル情報は、チャネル品質指示と、確認（ａｃｋｎｏｗｌｅｄｇｅｍｅｎｔ）及び非確認（ｎｏｎ−ａｃｋｎｏｗｌｅｄｇｅｍｅｎｔ）のうち少なくとも１つを含むことを特徴とする請求項14に記載の装置。
【請求項１６】
前記物理アップリンク制御チャネル情報は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）資源ブロックで伝送されることを特徴とする請求項15に記載の装置。
【請求項１７】
前記サブフレームの２つのスロットのうち第２スロット内の前記物理アップリンク制御チャネルの資源は、前記サイクリックシフト及び前記直交カバーを含むことを特徴とする請求項16に記載の装置。
【請求項１８】
前記サイクリックシフト及び前記直交カバーは、前記サイクリックシフト及び前記直交カバー各々に相当するn’(ns)の関数によって個別的に決定されることを特徴とする請求項17に記載の装置。
【請求項１９】
物理アップリンクチャネル信号を伝送する移動通信デバイスにおいて、
受信部と；
信号処理部と送信アンテナ部を含む送信部と；を含み、
前記信号処理部は、物理アップリンク制御チャネル情報に対するサイクリックシフト及び直交カバーを確認し、前記確認されたサイクリックシフト及び前記直交カバーを前記物理アップリンク制御チャネル情報に適用し、前記確認されたサイクリックシフト及び直交カバーに適用された前記物理アップリンク制御チャネル情報をサブフレームの２つのスロットに位置する２つの資源ブロック各々にマッピングし、
前記２つの資源ブロックのうちいずれか一方の資源ブロックの第２スロットでの位置は、前記２つの資源ブロックのうち他方の資源ブロックの第１スロットでの位置と比較するとき、異なっており、
ｎｓｍｏｄ２＝１である場合、前記サブフレームの２つのスロットのうち第２スロット内での物理アップリンク制御チャネルの資源は、下記の数式に基盤して形成され、
【数２５】
0005400069.tif 000115
ここで、ｎｓは、スロットのインデックス、
【数２６】
0005400069.tif 000116
は、前記物理アップリンク制御チャネルに対する資源インデックス、
【数２７】
0005400069.tif 000117
は、前記資源ブロックで前記物理アップリンク制御チャネルに対して使用されたサイクリックシフトの数、
【数２８】
0005400069.tif 000118
は、周波数ドメインで前記資源ブロックのサイズ、ｄは、あらかじめ決定されたパラメータ、
【数２９】
0005400069.tif 000119
は、上位階層によってシグナリングされるパラメータ、
【数３０】
0005400069.tif 000120
であることを特徴とする移動通信デバイス。
【請求項２０】
ｎｓｍｏｄ２＝０である場合、前記サブフレームの２つのスロットのうち第１スロット内での物理アップリンク制御チャネルの資源は、下記の数式に基盤して形成され、
【数３１】
0005400069.tif 000121
ここで、ｎｓは、スロットのインデックス、
【数３２】
0005400069.tif 000122
は、前記物理アップリンク制御チャネルに対する資源インデックス、
【数３３】
0005400069.tif 000123
は、前記資源ブロックで前記物理アップリンク制御チャネルに対して使用されたサイクリックシフトの数、
【数３４】
0005400069.tif 000124
は、周波数ドメインで前記資源ブロックのサイズ、
【数３５】
0005400069.tif 000125
は、上位階層によってシグナリングされるパラメータ、
【数３６】
0005400069.tif 000126
であることを特徴とする請求項19に記載の移動通信デバイス。
【請求項２１】
一般サイクリックプレフィックスに対してはｄ＝２であり、
拡張されたサイクリックプレフィックスに対してはｄ＝０であることを特徴とする請求項20に記載の移動通信デバイス。
【請求項２２】
前記物理アップリンク制御チャネル情報は、確認（ａｃｋｎｏｗｌｅｄｇｅｍｅｎｔ）及び非確認（ｎｏｎ−ａｃｋｎｏｗｌｅｄｇｅｍｅｎｔ）のうち少なくとも１つを含むことを特徴とする請求項21に記載の移動通信デバイス。
【請求項２３】
前記物理アップリンク制御チャネル情報は、チャネル品質指示を含むことを特徴とする請求項22に記載の移動通信デバイス。
【請求項２４】
前記物理アップリンク制御チャネル情報は、チャネル品質指示と、確認（ａｃｋｎｏｗｌｅｄｇｅｍｅｎｔ）及び非確認（ｎｏｎ−ａｃｋｎｏｗｌｅｄｇｅｍｅｎｔ）のうち少なくとも１つを含むことを特徴とする請求項23に記載の移動通信デバイス。
【請求項２５】
前記物理アップリンク制御チャネル情報は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）資源ブロックで伝送されることを特徴とする請求項24に記載の移動通信デバイス。
【請求項２６】
前記サブフレームの２つのスロットのうち第２スロット内の前記物理アップリンク制御チャネルの資源は、前記サイクリックシフト及び前記直交カバーを含むことを特徴とする請求項25に記載の移動通信デバイス。
【請求項２７】
前記サイクリックシフト及び前記直交カバーは、前記サイクリックシフト及び前記直交カバー各々に相当するn’(ns)の関数によって個別的に決定されることを特徴とする請求項26に記載の移動通信デバイス。
【発明の詳細な説明】
【技術分野】
【０００１】
本発明は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）で物理アップリンク伝送のための方法及び装置に関し、特に確認及び非確認（ＡＣＫｎｏｗｌｅｄｇｅｍｅｎｔ  ａｎｄ  Ｎｏｎ−ＡｃＫｎｏｗｌｅｄｇｅｍｅｎｔ；ＡＣＫ／ＮＡＫ）チャネルを有する資源ブロック（Ｒｅｓｏｕｒｃｅ  Ｂｌｏｃｋ；ＲＢ）と確認及び非確認チャネルとチャネル品質表示（Ｃｈａｎｎｅｌ  Ｑｕａｌｉｔｙ  Ｉｎｄｉｃａｔｉｏｎ；ＣＱＩ）チャネルを有する混合資源ブロック（ｍｉｘｅｄ  ＲＢ）のための物理アップリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の再配置（ｒｅｍａｐｐｉｎｇ）に全体的に採択される方法及び装置に関する。
【背景技術】
【０００２】
一般的に、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）は、周波数領域にデータを多重化するための無線通信技術である。
【０００３】
ＯＦＤＭシステムにおいて全体帯域幅は、サブキャリア（ｓｕｂｃａｒｒｉｅｒ）と呼ばれる狭帯域周波数単位に分割される。サブキャリアの数は、システムで使用されるＦＦＴ／ＩＦＦＴサイズを示すＮと同一である。一般的に、周波数スペクトルの端部でサブキャリアの一部が保護サブキャリア（ｇｕａｒｄ  ｓｕｂｃａｒｒｉｅｒ）として指定され、保護サブキャリアで情報が伝送されないので、データ伝送のためのサブキャリアの数はＮより少ない。
【０００４】
３ＧＰＰ  ＬＴＥは、未来の要求事項に対処するための次世代個人移動通信サービス（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の移動端末機標準を改善するための３ＧＰＰのプロジェクトである。３ＧＰＰ  ＬＴＥの物理アップリンクの標準で、アップリンク制御チャネルを伝送するために利用される資源の一種類として、ＯＦＤＭシンボル別サイクリックシフト（ｃｙｃｌｉｃ  ｓｈｉｆｔ；ＣＳ）が知られている。システムを具現するにあたってシンボル、スロットまたはサブフレームレベルのうちいずれか１つに資源を再配置することが重要に考慮されている。
【０００５】
次の３つの参照文献が従来技術として引用されている。
【０００６】
参照文献［１］（Ｒ１−０８１１５５、“ＣＲ  ｔｏ  ３ＧＰＰ  ｓｐｅｃ  ３６．２１１  Ｖｅｒｓｉｏｎ  ８．１．０”、ＲＡＮ１＃５２、Ｆｅｂ  ２００８、Ｓｏｒｒｅｎｔｏ、Ｉｔａｌｙ）は、３ＧＰＰの物理チャネルの標準を記述していて、チャプター５．４．１は、３ＧＰＰ  ＬＴＥシステムの物理アップリンクでＡＣＫ／ＮＡＫチャネルのためのスロットレベル再配置方法を説明するために、下記明細書に引用される。
【０００７】
参照文献［２］（Ｒ１−０８０９８３、“Ｗａｙ−ｆｏｒｗａｒｄ  ｏｎ  Ｃｙｃｌｉｃ  Ｓｈｉｆｔ  Ｈｏｐｐｉｎｇ  Ｐａｔｔｅｒｎ  ｆｏｒ  ＰＵＣＣＨ”、Ｐａｎａｓｏｎｉｃ、Ｓａｍｓｕｎｇ、ＥＴＲＩ、ＲＡＮ１＃５２、Ｆｅｂ  ２００８、Ｓｏｒｒｅｎｔｏ、Ｉｔａｌｙ）は、ＡＣＫ／ＮＡＫチャネルを有する資源ブロックまたはＣＱＩとＡＣＫ／ＮＡＫチャネルを有する資源ブロックのうちいずれか１つの再配置方法を開示している。
【０００８】
参照文献［３］（Ｒ１−０７３５６４、“Ｓｅｌｅｃｔｉｏｎ  ｏｆ  Ｏｒｔｈｏｇｏｎａｌ  Ｃｏｖｅｒ  ａｎｄ  Ｃｙｃｌｉｃ  Ｓｈｉｆｔ  ｆｏｒ  Ｈｉｇｈ  Ｓｐｅｅｄ  ＵＬ  ＡＣＫ  Ｃｈａｎｎｅｌｓ”、Ｓａｍｓｕｎｇ、ＲＡＮ１＃５０、Ａｕｇｕｓｔ  ２００７、Ａｔｈｅｎｓ、Ｇｒｅｅｃｅ）は、サイクリックシフトと直交カバー（ｏｒｔｈｏｇｏｎａｌ  ｃｏｖｅｒ）の結合サブセットを利用して高速アップリンクＡＣＫ／ＮＡＫチャネルでデータ伝送のためのシナリオを明示している。
【０００９】
参照文献［４］（Ｒ１−０８０７０７、“Ｃｅｌｌ  Ｓｐｅｃｉｆｉｃ  ＣＳ  Ｈｏｐｐｉｎｇ  ａｎｄ  Ｓｌｏｔ  Ｂａｓｅｄ  ＣＳ／ＯＣ  Ｒｅｍａｐｐｉｎｇ  ｏｎ  ＰＵＣＣＨ”、Ｔｅｘａｓ  Ｉｎｓｔｒｕｍｅｎｔｓ、Ｆｅｂｒｕａｒｙ  １１−１５、２００８、Ｓｏｒｒｅｎｔｏ、Ｉｔａｌｙ）は、ＰＵＣＣＨフォーマット０及び１のための、すなわちダウンリンクパケットに対応するアップリンクＡＣＫ／ＮＡＫ伝送のためのサイクリックシフトホッピングとスロット基盤サイクリックシフト／直交カバー（ＣＳ／ＯＣ）の再配置方法を明示している。
【００１０】
最近提案された、例えば、参照文献［２］及び［３］に開示されたようなスロットレベル資源再配置方法は、参照文献［１］の３ＧＰＰ標準に含まれている。
【先行技術文献】
【非特許文献】
【００１１】
【非特許文献１】Ｒ１−０８１１５５、“ＣＲ  ｔｏ  ３ＧＰＰ  ｓｐｅｃ  ３６．２１１  Ｖｅｒｓｉｏｎ  ８．１．０”、ＲＡＮ１＃５２、Ｆｅｂ  ２００８、Ｓｏｒｒｅｎｔｏ、Ｉｔａｌｙ
【非特許文献２】Ｒ１−０８０９８３、“Ｗａｙ−ｆｏｒｗａｒｄ  ｏｎ  Ｃｙｃｌｉｃ  Ｓｈｉｆｔ  Ｈｏｐｐｉｎｇ  Ｐａｔｔｅｒｎ  ｆｏｒ  ＰＵＣＣＨ”、Ｐａｎａｓｏｎｉｃ、Ｓａｍｓｕｎｇ、ＥＴＲＩ、ＲＡＮ１＃５２、Ｆｅｂ  ２００８、Ｓｏｒｒｅｎｔｏ、Ｉｔａｌｙ
【非特許文献３】Ｒ１−０７３５６４、“Ｓｅｌｅｃｔｉｏｎ  ｏｆ  Ｏｒｔｈｏｇｏｎａｌ  Ｃｏｖｅｒ  ａｎｄ  Ｃｙｃｌｉｃ  Ｓｈｉｆｔ  ｆｏｒ  Ｈｉｇｈ  Ｓｐｅｅｄ  ＵＬ  ＡＣＫ  Ｃｈａｎｎｅｌｓ”、Ｓａｍｓｕｎｇ、ＲＡＮ１＃５０、Ａｕｇｕｓｔ  ２００７、Ａｔｈｅｎｓ、Ｇｒｅｅｃｅ
【非特許文献４】Ｒ１−０８０７０７、“Ｃｅｌｌ  Ｓｐｅｃｉｆｉｃ  ＣＳ  Ｈｏｐｐｉｎｇ  ａｎｄ  Ｓｌｏｔ  Ｂａｓｅｄ  ＣＳ／ＯＣ  Ｒｅｍａｐｐｉｎｇ  ｏｎ  ＰＵＣＣＨ”、Ｔｅｘａｓ  Ｉｎｓｔｒｕｍｅｎｔｓ、Ｆｅｂｒｕａｒｙ  １１−１５、２００８、Ｓｏｒｒｅｎｔｏ、Ｉｔａｌｙ
【発明の概要】
【発明が解決しようとする課題】
【００１２】
ところが、従来の制御チャネルを有する資源ブロックの再配置方法は、拡張サイクリックプレフィックス（ｅｘｔｅｎｄｅｄ  Ｃｙｃｌｉｃ  Ｐｒｅｐｉｘ；ｅｘｔｅｎｄｅｄ  ＣＰ）または一般サイクリックプレフィックス（ｎｏｒｍａｌ  ＣＰ）のうちいずれか１つを有するＡＣＫ／ＮＡＫ資源ブロックのために制限的に考慮され、ＡＣＫ／ＮＡＫ及びＣＱＩチャネルの両方のために適用することができないので、ＡＣＫ／ＮＡＫ及びＣＱＩチャネルを有する混合資源ブロックで、無線通信網の伝送性能の欠陥が発生する。
【００１３】
このような伝送性能の欠陥は、従来技術が容易にＡＣＫ／ＮＡＫ資源ブロックが拡張サイクリックプレフィックスによって適用されることができる複合３ＧＰＰ  ＬＴＥ物理アップリンクに適応し、（ＡＣＫ／ＮＡＫ及びＣＱＩチャネルが共存する）混合資源ブロックが一般サイクリックプレフィックスによって適用されることができる複合３ＧＰＰ  ＬＴＥ物理アップリンクに適応し、（ＡＣＫ／ＮＡＫ及びＣＱＩチャネルが共存する）混合資源ブロックが拡張サイクリックプレフィックスによって適用されることができる複合３ＧＰＰ  ＬＴＥ物理アップリンクに適応することを抑制する。
【００１４】
本発明の目的は、従来の技術が複合３ＧＰＰ  ＬＴＥ物理アップリンクに全体的に適応されることを抑制する前述のような欠陥を克服するために、物理アップリンク伝送実行のための改善された方法と改善された装置を提供することにある。
【００１５】
本発明の他の目的は、セル内ランダム化と共に、ＡＣＫ／ＮＡＫ資源ブロックが拡張サイクリックプレフィックスによって適用されるか、（ＡＣＫ／ＮＡＫ及びＣＱＩチャネルが共存する）混合資源ブロックが一般サイクリックプレフィックスによって適用されるか、（ＡＣＫ／ＮＡＫ及びＣＱＩチャネルが共存する）混合資源ブロックが拡張サイクリックプレフィックスによって適用されることができる複合３ＧＰＰ  ＬＴＥ物理アップリンクに全体的に両立することができる方法及び装置を提供することにある。
【課題を解決するための手段】
【００１６】
本発明の第１実施例において、物理アップリンクチャネル信号伝送方法は、物理アップリンクチャネルにサイクリックシフト及び直交カバーを割当し、選択された再配置計画によってスロットレベルで伝送資源を再配置し、再配置された伝送資源を利用して物理アップリンクチャネル信号を伝送することを提案する。
【００１７】
この際、ｎSｍｏｄ２＝０であれば、物理アップリンクチャネルシンボルが配置されたサブフレームの２つのスロットのうち第１スロットに再配置される資源インデックスが次のように決定され、
【００１８】
【数１】
0005400069.tif 000002
【００１９】
ｎSｍｏｄ２＝１であれば、物理アップリンクチャネルシンボルのためのサブフレームの２つのスロットのうち第２スロットに再配置される資源インデックスが次のように決定される。
【００２０】
【数２】
0005400069.tif 000003
【００２１】
であり、ｄ1とｄ2は、２つのあらかじめ設定されたパラメータを示し、
【００２２】
【数３】
0005400069.tif 000004
【００２３】
は、再配置以前の資源インデックスを示し、
【００２４】
【数４】
0005400069.tif 000005
【００２５】
単一の資源ブロック内のサブキャリアの数を示す。また、ｄ1＝２，ｄ2＝０、ｄ1＝２，ｄ2＝２，またはｄ1＝１，ｄ2＝０，であることができる。
【００２６】
本発明の第２実施例において、物理アップリンクチャネル信号伝送方法は、物理アップリンク制御チャネルにサイクリックシフト及び直交カバーを割当し、選択された再配置計画によってスロットレベルで伝送資源を再配置し、再配置された伝送資源を利用して物理アップリンクチャネル信号を伝送することを提案する。
【００２７】
この際、ｎSｍｏｄ２＝０であれば、物理アップリンクチャネルシンボルが配置されたサブフレームの２つのスロットのうち第１スロットに再配置される資源インデックスが次のように決定され、
【００２８】
【数５】
0005400069.tif 000006
【００２９】
であれば、物理アップリンクチャネルシンボルのためのサブフレームの２つのスロットのうち第２スロットに再配置される資源インデックスが次のように決まる。
【００３０】
【数６】
0005400069.tif 000007
【００３１】
であり、ｄ3とｄ4は、２つのあらかじめ設定されたパラメータを示し、
【００３２】
【数７】
0005400069.tif 000008
【００３３】
単一の資源ブロック内のサブキャリアの数を示す。またｄ3＝１，ｄ4＝０またはｄ3＝１，ｄ4＝１であることができる。
【００３４】
本発明の第３実施例において、物理アップリンクチャネル信号伝送方法は、物理アップリンク制御チャネルにサイクリックシフト及び直交カバーを割当し、選択された再配置計画によってスロットレベルで伝送資源を再配置し、再配置された伝送資源を利用して物理アップリンクチャネル信号を伝送することを提案する。
【００３５】
この際、ｎSｍｏｄ２＝０であれば、物理アップリンクチャネルシンボルが配置されたサブフレームの２つのスロットのうち第１スロットに再配置される資源インデックスが次のように決定され、
【００３６】
【数８】
0005400069.tif 000009
【００３７】
ｎSｍｏｄ２＝１であれば、物理アップリンクチャネルシンボルのためのサブフレームの２つのスロットのうち第２スロットに再配置される資源インデックスが次のように決定される。
【００３８】
【数９】
0005400069.tif 000010
【００３９】
ｄ3とｄ4は、２つのあらかじめ設定された第１パラメータを示し、ｅ3とｅ4は、２つのあらかじめ設定された第２パラメータを示し、
【００４０】
【数１０】
0005400069.tif 000011
【００４１】
単一の資源ブロック内のサブキャリアの数を示す。
【００４２】
また、ｄ3＝１，ｄ4＝０、ｄ3＝１，ｄ4＝１、ｅ3＝１，ｅ3＝１，ｅ4＝０またはｅ3＝２，ｅ4＝２であることができる。
【００４３】
本発明の第４実施例において、物理アップリンクチャネル信号伝送方法は、物理アップリンク制御チャネルにサイクリックシフト及び直交カバーを割当し、選択された再配置計画によってスロットレベルで伝送資源を再配置し、再配置された伝送資源を利用して物理アップリンクチャネル信号を伝送することを提案する。
【００４４】
この際、ｎSｍｏｄ２＝０であれば、物理アップリンクチャネルシンボルが配置されたサブフレームの２つのスロットのうち第１スロットに再配置される資源インデックスが次のように決定され、
【００４５】
【数１１】
0005400069.tif 000012
【００４６】
ｎSｍｏｄ２＝１であれば、物理アップリンクチャネルシンボルのためのサブフレームの２つのスロットのうち第２スロットに再配置される資源インデックスが次のように決定される。
【００４７】
【数１２】
0005400069.tif 000013
【発明の効果】
【００４８】
したがって、本発明によるＬＴＥでアップリンクチャネル化方法は、サブフレームの２つのスロットに個別的に位置する２つの資源ブロックにスロットレベルで物理アップリンク制御チャネルを再配置する方法が、ＡＣＫ／ＮＡＫ資源ブロックが拡張サイクリックプレフィックスによって適用されることができる３ＧＰＰ  ＬＴＥ物理アップリンク、（ＡＣＫ／ＮＡＫ及びＣＱＩチャネルが共存する）混合資源ブロックが一般サイクリックプレフィックスによって適用されることができる複合３ＧＰＰ  ＬＴＥ物理アップリンク及び（ＡＣＫ／ＮＡＫ及びＣＱＩチャネルが共存する）混合資源ブロックが拡張サイクリックプレフィックスによって適用されることができる複合３ＧＰＰ  ＬＴＥ物理アップリンクに全体的に適応されることができるという利点がある。
【図面の簡単な説明】
【００４９】
【図１】ＯＦＤＭを利用してデータを送受信する例を概略的に示すブロック図である。
【図２】ＯＦＤＭを利用してデータを送受信して信号を処理する例を概略的に示すブロック図である。
【図３】単一のスロットでチャネル品質表示信号を有する単一の資源ブロックで６個のユーザ端末機を多重化する例を示す図である。
【図４】物理アップリンク確認及び非確認チャネルと確認及び非確認復調のための参照信号の伝送のためのシナリオを示す図である。
【図５】本発明の実施例による物理アップリンクチャネル信号の伝送方法を示すフローチャートである。
【発明を実施するための形態】
【００５０】
以下、添付の図面を参照して本発明の好ましい実施例をさらに詳しく説明する。この際、添付の図面において同一の構成要素は、できるだけ同一の符号で示している。また、本発明の要旨を不明にすることができる公知の機能及び構成についての詳細な説明は省略する。
【００５１】
ＯＦＤＭを利用してデータを送受信する概略的な例が図１に示されている。
【００５２】
送信機（ｔｒａｎｓｍｉｔｔｅｒ）で、送信される入力データは、直交振幅変調器（Ｑｕａｄｒａｔｕｒｅ  Ａｍｐｌｉｔｕｄｅ  Ｍｏｄｕｌａｔｉｏｎ  ｍｏｄｕｌａｔｏｒ；ＱＡＭ  ｍｏｄｕｌａｔｏｒ）１１１によって変調される。ＱＡＭ変調シンボルは、直並列変換機（ｓｅｒｉａｌ−ｔｏ−ｐａｒａｌｌｅｌ  ｃｏｎｖｅｒｔｏｒ）１１３によって直並列変換され、逆高速フーリエ変換機（Ｉｎｖｅｒｓｅ  Ｆａｓｔ  Ｆｏｕｒｉｅｒ  Ｔｒａｎｓｆｏｒｍｕｎｉｔ；ＩＦＦＴ  ｕｎｉｔ）１１５に入力される。逆高速フーリエ変換機１１５で出力時に、Ｎ個の時間領域サンプルが獲得される。ここで、Ｎは、ＯＦＤＭシステムによって利用されるＩＦＦＴ／ＦＦＴのサンプリング個数を示す。逆高速フーリエ変換機１１５から伝送された信号は、並直列変換機（ｐａｒａｌｌｅｌ−ｔｉ−ｓｅｒｉａｌ  ｃｏｎｖｅｒｔｏｒ）１１７によって並直列変換され、サイクリックプレフィックス１１９は、信号シーケンスに付加される。サンプルの結果シーケンスをＯＦＤＭシンボルで示すことができる。直並列変換機１１３は、直列形式から並列形式にデータを変換するにシフトレジスタ（ｓｈｉｆｔ  ｒｅｇｉｓｔｅｒ）を利用する。データは、直列ロードモード（ｓｅｒｉａｌ  ｌｏａｄ  ｍｏｄｅ）からシフトレジスタにロードされ、シフトモード（ｓｈｉｆｔ  ｍｏｄｅ）でクロック信号（ｃｌｏｃｋ  ｓｉｇｎａｌ）とともに並列にシフトされる。
【００５３】
受信機（ｒｅｃｅｉｖｅｒ）で、サイクリックプレフィックスは、サイクリックプレフィックス除去機１２１でまず除去され、信号は、直並列変換機１２３によって直並列変換され、高速フーリエ変換機（Ｆａｓｔ  Ｆｏｕｒｉｅｒ  Ｔｒａｎｓｆｏｒｍ  ｔｒａｎｓｆｏｒｍｅｒ；ＦＦＴ  ｔｒａｎｓｆｏｒｅｍｒ）１２５に供給される。高速フーリエ変換機１２５の出力は、並直列変換機１２８によって並直列変換され、結果シンボルは、直交振幅復調器（ＱＡＭ  ｄｅｍｏｄｕｌａｔｏｒ）１２９に入力される。並直列変換機１２８は、並列形式から直列形式にデータを変換するにシフトレジスタを利用する。データは、並列ロードモード（ｐａｒａｌｌｅｌ  ｌｏａｄ  ｍｏｄｅ）でシフトレジスタにロードされ、シフトモードでクロック信号とともに直列にシフトされる。
【００５４】
ＯＦＤＭシステムにおいて全体帯域幅は、サブキャリアと呼ばれる狭帯域周波数単位に分割される。サブキャリアの数は、ＦＦＴ／ＩＦＦＴサイズを示すＮと同一である。一般的に、周波数スペクトルの端部でサブキャリアの一部が保護サブキャリアとして指定され、保護サブキャリアで情報が伝送されないので、データのために利用されるサブキャリアの数はＮより少ない。
【００５５】
図２は、ＯＦＤＭを利用してデータを送受信し、信号を処理する概略的な例を示している。図２を参照すれば、直並列変換機１１３及び逆高速フーリエ変換機１１５は、直並列変換された信号を資源ブロックに配置（ｍａｐｐｉｎｇ；ａｌｌｏｃａｔｉｎｇ）し、逆高速フーリエ変換を行うように構成される。また、サイクリックプレフィックス１１９から出力されたＯＦＤＭシンボルは、送信信号処理機（ｓｉｇｎａｌ  ｐｒｏｃｅｓｓｉｎｇ  ｕｎｉｔ＿Ｔｘ）１２０によってさらに処理され、送信アンテナによって送信される。これと同様に、送信機から送信されて処理されたＯＦＤＭシンボルは、受信信号処理機（ｉｇｎａｌ  ｐｒｅｃｅｓｓｉｎｇ  ｕｎｉｔ＿Ｒｘ）１２２でまず処理され、受信アンテナによって受信される。送信信号処理機１２０と受信信号処理機１２２は、特定の信号処理計画によって送信機及び受信機各々の信号処理を行う。
【００５６】
３ＧＰＰ  ＬＴＥ標準のアップリンクで、アップリンク制御チャネル（ＰＵＣＣＨ）に利用される資源の一種類としてＯＦＤＭシンボル別サイクリックシフトが知られている。ＰＵＣＣＨは、アップリンク制御信号を伝達するチャネルとして定義され、制御情報、例えば、チャネル品質表示（ＣＱＩ）、ＡＣＫ／ＮＡＣＫ、ＨＡＲＱ（Ｈｙｂｒｉｄ  Ａｕｔｏｍａｔｉｃ  Ｒｅｐｅａｔ  Ｒｅｑｕｅｓｔｓ）及びアップリンクスケジューリング要請などを伝達することができる。
【００５７】
物理アップリンク制御チャネル、すなわちＰＵＣＣＨは、アップリンク制御情報を伝達する。すべてのＰＵＣＣＨフォーマットが各々のＯＦＤＭシンボルでシーケンスのサイクリックシフトを利用する。図３は、単一のスロットでチャネル品質表示信号を有する単一の資源ブロックで６個のユーザ端末機（Ｕｓｅｒ  Ｅｑｕｉｐｍｅｎｔ；ＵＥ）を多重化する例を示している。図３で、ＰＵＣＣＨは、資源ブロックで１２個のサブキャリアを使用し、１２個のサイクリックシフト資源（Ｃ０乃至Ｃ１１）が資源ブロックに存在する。ＣＱＩ信号は、ＯＦＤＭシンボルで多数個のシンボル要素（例えば、Ｓ０）を使用するＣＱＩデータ信号２０１と多数個のシンボル要素を使用するＣＱＩ参照信号２０２とを含む。６個のユーザ端末機（すなわちＵＥ１乃至ＵＥ６）が資源ブロックに多重化される。ここで、１２個のサイクリックシフトのうち６個が実質的に利用される。
【００５８】
参照文献［３］から引用された図４は、アップリンクＡＣＫ／ＮＡＫチャネルと参照信号の伝送ブロックで動作構成を示している。ここで、参照信号ロングブロックは、決定されていないので、図４は、説明を目的とする。すなわち直並列変換機１１３及び逆高速フーリエ変換機１１５で信号を逆高速フーリエ変換させて、伝送ブロックに配置するための構造よりなる。ＡＣＫ／ＮＡＫ信号とＡＣＫ／ＮＡＫ復調のためのアップリンク参照信号（ＵＬ ＲＳ）は、基本シーケンス（例えば、Ｚａｄｏｆｆ−Ｃｈｕシーケンス）のサイクリックシフト及び直交カバーによって構成されるコードチャネル３０１に多重化される。ＡＣＫ／ＮＡＫ信号とアップリンク参照信号は、Ｚａｄｏｆｆ−Ｃｈｕシーケンス
【００５９】
【数１３】
0005400069.tif 000014
【００６０】
と直交カバーによって構成されたコードチャネル３０１に多重化される。ＡＣＫ／ＮＡＫチャネルで、特定のサイクリックシフトτを有するＺａｄｏｆｆ−Ｃｈｕシーケンス
【００６１】
【数１４】
0005400069.tif 000015
【００６２】
は、サブキャリアに位置し、直交カバーは、時間領域ロングブロック（ＬＢ）に適用される。逆高速フーリエ変換機は、入力シーケンスの周波領域から時間領域に変換する。直交カバーは、ＵＬ  ＲＳとＰＵＣＣＨデタのために利用されることができ、ＵＬ ＲＳのために利用される直交カバーはＰＵＣＣＨデタのために利用される
【００６３】
【数１５】
0005400069.tif 000016
【００６４】
と異なっている。
【００６５】
ここで、図３は、ＣＱＩチャネルを有する資源ブロックに制限的に適応された配置方法の例を示し、図４は、ＡＣＫ／ＮＡＫチャネルの配置方法の例を示している。
【００６６】
システムを具現するにあたって、シンボル、スロットまたはサブフレームレベルのうちいずれか１つに資源を再配置することが重要に考慮されている。ＬＴＥのアップリンク制御ＰＵＣＣＨチャネルのＡＣＫ／ＮＡＫチャネルのスロットレベル再配置を含む参照文献［１］のセクション５．４．１が説明の容易化のために下記に説明される。
“５．４  物理アップリンク制御チャネル
．．．ＰＵＣＣＨのために利用される物理資源は、２つのパラメータ、
【００６７】
【数１６】
0005400069.tif 000017
【００６８】
によって決定される。変数
【００６９】
【数１７】
0005400069.tif 000018
【００７０】
は、各々のスロットでＰＵＣＣＨフォーマット２／２ａ／２ｂ伝送のために制限的に指定された資源ブロックを示す帯域幅を示す。変数
【００７１】
【数１８】
0005400069.tif 000019
【００７２】
は、ＰＵＣＣＨフォーマット１／１ａ／１ｂ及び２／２ａ／２ｂの混合に利用される資源ブロックにおいてＰＵＣＣＨフォーマット１／１ａ／１ｂに利用されるサイクリックシフトの数を示す。
【００７３】
【数１９】
0005400069.tif 000020
【００７４】
値は、｛０、１、．．．、８｝の範囲で
【００７５】
【数２０】
0005400069.tif 000021
【００７６】
の整数倍であり、
【００７７】
【数２１】
0005400069.tif 000022
【００７８】
は、セクション５．４．１に定義されている。
【００７９】
【数２２】
0005400069.tif 000023
【００８０】
であれば、混合資源ブロックは存在しない。各々のスロットで多くても１つの資源ブロックがＰＵＣＣＨフォーマット１／１ａ／１ｂ及び２／２ａ／２ｂの混合を支援する。ＰＵＣＣＨフォーマット１／１ａ／１ｂ及び２／２ａ／２ｂの伝送に利用される資源は、各々負ではなく、インデックス
【００８１】
【数２３】
0005400069.tif 000024
【００８２】
で示すことができる。
【００８３】
５．４．１  ＰＵＣＣＨフォーマット１、１ａ及び１ｂ
【００８４】
ＰＵＣＣＨフォーマット１で、情報は、ユーザ端末機からＰＵＣＣＨの伝送の存在／不在によって伝達される。このようなセクションの残りで、ｄ（０）＝１は、ＰＵＣＣＨフォーマット１のために仮定される。
【００８５】
ＰＵＣＣＨフォーマット１ａ及び１ｂで、少なくとも２つの明示的ビットが各々伝送される。ビットｂ（０），…，ｂ（Ｍbit−１）のブロックがセクション７．１に記載されたように変調され、複素数のシンボルｄ（０）が決定される。他のＰＵＣＣＨフォーマットのための変調構成が表５．４−１に提供される。
【００８６】
複素数のシンボルｄ（０）は、下記数式１のように、サイクリックシフト長さ
【００８７】
【数２４】
0005400069.tif 000025
【００８８】
とともに多重化されることができる。
【００８９】
【数２５】
0005400069.tif 000026
【００９０】
サイクリックシフトαは、次に定義されたように、シンボル及びスロットの間で変わる。
複素数のシンボル
【００９１】
【数２６】
0005400069.tif 000027
【００９２】
のブロックは、下記数式２のように、直交シーケンス
【００９３】
【数２７】
0005400069.tif 000028
【００９４】
とともにブロックに展開される。
【００９５】
【数２８】
0005400069.tif 000029
【００９６】
ＰＵＣＣＨフォーマット１、１ａ及び１ｂの伝送に利用される資源は、資源インデックス
【００９７】
【数２９】
0005400069.tif 000030
【００９８】
によって識別され、
【００９９】
【数３０】
0005400069.tif 000031
【０１００】
の直交シーケンスインデックスｎOC(ｎS)とサイクリックシフトα(ｎS)が、下記数式３乃至数式７のように決定される。
【０１０１】
【数３１】
0005400069.tif 000032
【数３２】
0005400069.tif 000033
【数３３】
0005400069.tif 000034
【数３４】
0005400069.tif 000035
【０１０２】
ここで、Ｎ’は、サイクリックシフトの数を示す。
【０１０３】
【数３５】
0005400069.tif 000036
【０１０４】
ここで、ｃは、直交カバーの数を示す。
ＰＵＣＣＨが配置されるサブフレームの２つのスロットで２つの資源ブロックの資源インデックスは、下記数式８及び数式９のように決定される。
【０１０５】
【数３６】
0005400069.tif 000037
【数３７】
0005400069.tif 000038
【０１０６】
記号は、下記数式１０及び数式１１のように設定される。
【０１０７】
【数３８】
0005400069.tif 000039
【０１０８】
ここで、  
【０１０９】
【数３９】
0005400069.tif 000040
【０１１０】
は、ＰＵＣＣＨ間のサイクリックシフト間隔を示す。
【０１１１】
【数４０】
0005400069.tif 000041
【０１１２】
ここで、
【０１１３】
【数４１】
0005400069.tif 000042
【０１１４】
は、ＰＵＣＣＨのサイクリックシフト割当のためのオフセットを示す。”
【０１１５】
本発明で、新規なスロットレベル再配置方法が、特に拡張サイクリックプレフィックスと一般サイクリックプレフィックスを有するＡＣＫ／ＮＡＫ資源ブロック及びＡＣＫ／ＮＡＫとＣＱＩが単一の資源ブロックに存在する混合資源ブロックで、さらに改善したセル内ランダム化を提供するように提案される。
【０１１６】
数式８及び数式９は、本発明に参照される。
【０１１７】
一方、本明細書と図面に開示された本発明の実施例は、本発明の技術内容を容易に説明し、本発明の理解を助けるために特定例を提示したものに過ぎず、本発明の範囲を限定しようとするものではない。すなわち本発明の技術的思想に基づく他の変形例が実施可能であることは、本発明の属する技術分野における通常の知識を有するに自明である。
【０１１８】
図５は、本発明の実施例による物理アップリンクチャネル信号の配置及び伝送方法を示すフローチャートである。 段階７０１で、送信機は、物理アップリンク制御チャネルにサイクリックシフト及び直交カバーを割当する。これは、送信機の割当部で行われる。段階７０３で、送信機は、スロットレベルでサブフレームの２つのスロットで個別的に位置する２つの資源ブロックに物理アップリンク制御チャネルを配置する。これは、送信機のリマッパーで行われる。段階７０５で、送信機は、配置された物理アップリンク制御チャネルを伝送する。これは、送信機の送信部で行われる。本発明は、段階７０３で行う新規な再配置方法を提案する。
【０１１９】
方法Ｃ
【０１２０】
本発明の一実施例において、スロットレベル再配置方法を示す方法Ｃが提案される。本方法で、ＰＵＣＣＨが配置されるサブフレームの２つのスロット各々の２つの資源ブロックで資源インデックスが次のように配置される。
【０１２１】
すなわちｎSｍｏｄ２＝０であれば、サブフレームの２つのスロットのうち第１スロットで物理アップリンク制御チャネルの資源インデックスが下記数式１２のように設定される。
【０１２２】
【数４２】
0005400069.tif 000043
【０１２３】
また、ｎSｍｏｄ２＝１であれば、物理アップリンクチャネルシンボルのためのサブフレームの２つのスロットのうち第２スロットで物理アップリンク制御チャネルの資源インデックスが下記数式１３及び数式１４のように再配置される。
【０１２４】
【数４３】
0005400069.tif 000044
【０１２５】
【数４４】
0005400069.tif 000045
【０１２６】
ここで、ｄ1，ｄ2は、ペア（ｐａｉｒ）で構成される２つの独立的なパラメータである。
【０１２７】
ｄ1，ｄ2の多様な例が存在する。
【０１２８】
一例として、ｄ1＝２，ｄ2＝０であることができる。
【０１２９】
他の例として、ｄ1＝２，ｄ2＝２であることができる。
【０１３０】
さらに他の例として、ｄ1＝１，ｄ2＝０であることができる。
【０１３１】
ここで、ｎSは、サブフレームでスロットインデックスを示し、
【０１３２】
【数４５】
0005400069.tif 000046
【０１３３】
は、物理アップリンク制御チャネルフォーマット１、１ａ及び１ｂのための資源インデックスを示し、
【０１３４】
【数４６】
0005400069.tif 000047
【０１３５】
は、資源ブロックで物理アップリンク制御チャネルフォーマット１、１ａ及び１ｂに利用されるサイクリックシフトの数を示し、
【０１３６】
【数４７】
0005400069.tif 000048
【０１３７】
は、周波数領域で資源ブロックサイズを示す。
【０１３８】
方法Ｄ
【０１３９】
本発明の他の実施例において、スロットレベル再配置方法を示す方法Ｄが提案される。本方法で、ＰＵＣＣＨが配置されるサブフレームの２つのスロット各々の２つの資源ブロックで資源インデックスが次のように配置される。
【０１４０】
すなわちｎSｍｏｄ２＝０であれば、物理アップリンクチャネルシンボルのためのサブフレームの２つのスロットのうちいずれか１つ、すなわち第１スロットで物理アップリンク制御チャネルの資源インデックスが下記数式１５のように再配置される。
【０１４１】
【数４８】
0005400069.tif 000049
【０１４２】
また、ｎSｍｏｄ２＝１であれば、物理アップリンクチャネルシンボルのためのサブフレームの２つのスロットのうち他の１つ、すなわち第２スロットで物理アップリンク制御チャネルの資源インデックスが下記数式１６及び数式１７のように再配置される。
【０１４３】
【数４９】
0005400069.tif 000050
【数５０】
0005400069.tif 000051
【０１４４】
ここで、ｄ3，ｄ4は、ペアで構成される２つの独立的なパラメータである。
【０１４５】
ｄ3，ｄ4の多様な例が存在する。
【０１４６】
一例として、ｄ3＝１，ｄ4＝０であることができる。
【０１４７】
他の例として、ｄ3＝１，ｄ4＝１であることができる。
【０１４８】
また、本方法で、ＰＵＣＣＨが配置されるサブフレームの２つのスロット各々の２つの資源ブロックで資源インデックスが次のように配置されることもできる。
【０１４９】
すなわちｎSｍｏｄ２＝０であれば、物理アップリンクチャネルシンボルのためのサブフレームの２つのスロットのうち第１スロットで物理アップリンク制御チャネルの資源インデックスが下記数式１８のように再配置される。
【０１５０】
【数５１】
0005400069.tif 000052
【０１５１】
また、ｎSｍｏｄ２＝１であれば、物理アップリンクチャネルシンボルのためのサブフレームの２つのスロットのうち第２スロットで物理アップリンク制御チャネルの資源インデックスが下記数式１９及び数式２０のように再配置される。
【０１５２】
【数５２】
0005400069.tif 000053
【数５３】
0005400069.tif 000054
【０１５３】
ここで、一般ＣＰでｄ＝２であり、拡張ＣＰでｄ＝０である。
【０１５４】
方法Ｄは、２００８年６月３０日から７月４日までポーランドのワルシャワで開催された会議で展開された文書ＴＳＧ  ＲＡＮ  ＷＧ１  ＃５３ｂ  Ｒ１−０８２６６０として提出され、３ＧＰＰ標準として認定された。Ｒ１−０８２６６０の２ページに次のような記載がある。
【０１５５】
“ＰＵＣＣＨが配置されるサブフレームの２つのスロットで資源インデックスは、次のように決定される。
【０１５６】
【数５４】
0005400069.tif 000055
【０１５７】
であり、一般ＣＰでｄ＝２であり、拡張ＣＰでｄ＝０である。
【０１５８】
【数５５】
0005400069.tif 000056
【０１５９】
３ＧＰＰ標準のＲ１−０８２６６０で、上記数式１６は、次のように表現される。
【０１６０】
【数５６】
0005400069.tif 000057
【０１６１】
ここで、上記数式１６が変更されない限り、
【０１６２】
【数５７】
0005400069.tif 000058
【０１６３】
であり、一般ＣＰでｄ3＝２であり、拡張ＣＰでｄ4＝０である。
【０１６４】
２００８年６月１８日に公開された３ＧＰＰ標準ｖｅｒｓｉｏｎ ＴＳ ３６．２１１  Ｖ８．３．０（２００８−０５）のセクション５．４．１に次のような記載がある。
【０１６５】
“ＰＵＣＣＨが配置されるサブフレームの２つのスロットで２つの資源ブロックの資源インデックスは、次のように決定される。
【０１６６】
【数５８】
0005400069.tif 000059
【０１６７】
記号は、次のように設定される。
【０１６８】
“本発明は、２００８年９月２４日に公開された３ＧＰＰ標準ｖｅｒｓｉｏｎ ＴＳ ３６．２１１ Ｖ８．４．０（２００８−０９）に記載した。３ＧＰＰ標準ＴＳ ３６．２１１ Ｖ８．４．０のセクション５．４．１に次のような記載がある。
【０１６９】
“ＰＵＣＣＨが配置されるサブフレームの２つのスロットで２つの資源ブロックの資源インデックスが次のように決定される。
【０１７０】
【数５９】
0005400069.tif 000060
【０１７１】
一般ＣＰでｄ＝２であり、拡張ＣＰでｄ＝０である。
【０１７２】
記号は、次のように設定される。
【０１７３】
【数６０】
0005400069.tif 000061
【０１７４】
３ＧＰＰ標準ｖｅｒｓｉｏｎ ＴＳ ３６．２１１ Ｖ８．４．０（２００８−０９）と３ＧＰＰ標準ｖｅｒｓｉｏｎ ＴＳ ３６．２１１ Ｖ８．４．０（２００８−０５）を比較すれば、最近３ＧＰＰ標準ｖｅｒｓｉｏｎ ＴＳ ３６．２１１ Ｖ８．４．０（２００８−０９）は、拡張ＣＰ場合と混合ＲＢ場合の資源インデックスのための数式を具現し、本発明を具現することによって、２つのスロットのうちいずれか１つで物理アップリンク制御チャネルの資源インデックスを配置するための新規なパラメータ“ｄ”を採用し、資源インデックスは、次のように決定される。
【０１７５】
【数６１】
0005400069.tif 000062
【０１７６】
であり、一般ＣＰでｄ＝２であり、拡張ＣＰでｄ＝０である。前述したような数式で資源インデックスの配置のためのパラメータ“ｄ”を採用することによって、本発明は、通信システムにおいてさらに改善されたランダム化とさらに向上された資源ブロックのマッチング性能を具現する。
【０１７７】
方法Ｅ
【０１７８】
本発明のさらに他の実施例において、スロットレベル再配置方法を示す方法Ｅが提案される。本方法で、ＰＵＣＣＨが配置されるサブフレームの２つのスロット各々で２つの資源ブロックの資源インデックスが次のように決定される。
すなわちｎSｍｏｄ２＝０であれば、物理アップリンクチャネルシンボルのためのサブフレームの２つのスロットのうち第１スロットで物理アップリンク制御チャネルの資源インデックスは、下記数式２１のように再配置される。
【０１７９】
【数６２】
0005400069.tif 000063
【０１８０】
また、ｎSｍｏｄ２＝１であれば、物理アップリンクチャネルシンボルのためのサブフレームの２つのスロットのうち第２スロットで物理アップリンク制御チャネルの資源インデックスは、下記数式２２乃至数式２４のように再配置される。
【０１８１】
【数６３】
0005400069.tif 000064
【数６４】
0005400069.tif 000065
【数６５】
0005400069.tif 000066
【０１８２】
ここで、ｄ3，ｄ4は、ペアで構成される２つの独立的なパラメータであり、ｅ3，ｅ4は、他のペアで構成される２つの独立的なパラメータである。
【０１８３】
ｄ3，ｄ4の多様な例が存在する。
【０１８４】
一例として、ｄ3＝１，ｄ4＝０であることができる。
【０１８５】
他の例として、ｄ3＝１，ｄ4＝１であることができる。
【０１８６】
ｅ3，ｅ4の多様な例が存在する。
【０１８７】
一例として、ｅ3＝１，ｅ4＝０であることができる。
【０１８８】
他の例として、ｅ3＝２，ｅ4＝２であることができる。
【０１８９】
方法Ｃの例
【０１９０】
方法Ｃを説明するための６個の例を次のように説明する。このような例に開示されたように、提案された方法Ｃは、ＡＣＫ／ＮＡＫ資源ブロックが拡張サイクリックプレフィックスに適用されるか、（ＡＣＫ／ＮＡＫ及びＣＱＩチャネルが共存する）混合資源ブロックが一般サイクリックプレフィックスに適用されるか、（ＡＣＫ／ＮＡＫ及びＣＱＩチャネルが共存する）混合資源ブロックが拡張サイクリックプレフィックスに適用されることができる複合３ＧＰＰ  ＬＴＥ物理アップリンクに全体的に適応されることができる。方法Ｃの６個の例は、ｄ1＝１，ｄ2＝０である場合を仮定して説明する。
【０１９１】
第１例
【０１９２】
第１例で、ＡＣＫ／ＮＡＫチャネルは、資源ブロックによって伝達され、拡張サイクリックプレフィックスが適用される。
ここで、
【０１９３】
【数６６】
0005400069.tif 000067
【０１９４】
【表１】
0005400069.tif 000068
【０１９５】
上記表１は、ＣＳ／ＯＣシーケンス再配置の例を開示している。ここで、
【０１９６】
【数６７】
0005400069.tif 000069
【０１９７】
であり、拡張サイクリックプレフィックスが適用される。ＰＵＣＣＨが配置されるサブフレームの２つのスロット各々で２つの資源ブロックの資源インデックスが上記表１のように決定される。
【０１９８】
第２例
【０１９９】
第２例で、ＡＣＫ／ＮＡＫチャネルは、資源ブロックによって伝達され、拡張サイクリックプレフィックスが適用される。
ここで、
【０２００】
【数６８】
0005400069.tif 000070
【０２０１】
【表２】
0005400069.tif 000071
【０２０２】
上記表２は、ＣＳ／ＯＣシーケンス再配置の例を開示している。ここで、
【０２０３】
【数６９】
0005400069.tif 000072
【０２０４】
であり、拡張サイクリックプレフィックスが適用される。ＰＵＣＣＨが配置されるサブフレームの２つのスロット各々で２つの資源ブロックの資源インデックスが上記表２のように決定される。
【０２０５】
第３例
【０２０６】
第３例で、ＡＣＫ／ＮＡＫチャネルとＣＱＩチャネルは、資源ブロックによって伝達され、拡張サイクリックプレフィックスが適用される。
ここで、
【０２０７】
【数７０】
0005400069.tif 000073
【０２０８】
【表３】
0005400069.tif 000074
【０２０９】
上記表３は、ＣＳ／ＯＣシーケンス再配置の例を開示している。ここで、
【０２１０】
【数７１】
0005400069.tif 000075
【０２１１】
であり、拡張サイクリックプレフィックスが適用される。ＰＵＣＣＨが配置されるサブフレームの２つのスロット各々で２つの資源ブロックの資源インデックスが上記表３のように決定される。
【０２１２】
第４例
【０２１３】
第４例で、ＡＣＫ／ＮＡＫチャネルとＣＱＩチャネルは、資源ブロックによって伝達され、拡張サイクリックプレフィックスが適用される。
ここで、
【０２１４】
【数７２】
0005400069.tif 000076
【０２１５】
【表４】
0005400069.tif 000077
【０２１６】
上記表４は、ＣＳ／ＯＣシーケンス再配置の例を開示している。ここで、
【０２１７】
【数７３】
0005400069.tif 000078
【０２１８】
であり、拡張サイクリックプレフィックスが適用される。ＰＵＣＣＨが配置されるサブフレームの２つのスロット各々で２つの資源ブロックの資源インデックスが上記表４のように決定される。
【０２１９】
第５例
第５例で、ＡＣＫ／ＮＡＫチャネルとＣＱＩチャネルは、資源ブロックによって伝達され、一般サイクリックプレフィックスが適用される。
ここで、
【０２２０】
【数７４】
0005400069.tif 000079
【０２２１】
【表５】
0005400069.tif 000080
【０２２２】
上記表５は、ＣＳ／ＯＣシーケンス再配置の例を開示している。ここで、
【０２２３】
【数７５】
0005400069.tif 000081
【０２２４】
であり、一般サイクリックプレフィックスが適用される。ＰＵＣＣＨが配置されるサブフレームの２つのスロット各々で２つの資源ブロックの資源インデックスが上記表５のように決定される。
【０２２５】
第６例
【０２２６】
第６例で、ＡＣＫ／ＮＡＫチャネルとＣＱＩチャネルは、資源ブロックによって伝達され、一般サイクリックプレフィックスが適用される。
ここで、
【０２２７】
【数７６】
0005400069.tif 000082
【０２２８】
【表６】
0005400069.tif 000083
【０２２９】
上記表６は、ＣＳ／ＯＣシーケンス再配置の例を開示している。ここで、
【０２３０】
【数７７】
0005400069.tif 000084
【０２３１】
であり、一般サイクリックプレフィックスが適用される。ＰＵＣＣＨが配置されるサブフレームの２つのスロット各々で２つの資源ブロックの資源インデックスが上記表６のように決定される。
【０２３２】
方法Ｄの例
【０２３３】
方法Ｄを説明するための２つの例（第７例及び第８例）を次のように説明する。このような例に開示されたように、提案された方法Ｄは、ＡＣＫ／ＮＡＫ資源ブロックが拡張サイクリックプレフィックスに適用されるか、（ＡＣＫ／ＮＡＫ及びＣＱＩチャネルが共存する）混合資源ブロックが一般サイクリックプレフィックスに適用されるか、（ＡＣＫ／ＮＡＫ及びＣＱＩチャネルが共存する）混合資源ブロックが拡張サイクリックプレフィックスに適用されることができる複合３ＧＰＰ  ＬＴＥ物理アップリンクに全体的に適応されることができる。方法Ｄの例は、一般ＣＰが利用され、一般ＣＰパラメータｄ3＝１である場合を仮定して説明する。
【０２３４】
第７例
【０２３５】
第７例で、ＡＣＫ／ＮＡＫチャネルとＣＱＩチャネルは、資源ブロックによって伝達され、一般サイクリックプレフィックスが適用される。
ここで、
【０２３６】
【数７８】
0005400069.tif 000085
【０２３７】
【表７】
0005400069.tif 000086
【０２３８】
上記表７は、ＣＳ／ＯＣシーケンス再配置の例を開示している。ここで、
【０２３９】
【数７９】
0005400069.tif 000087
【０２４０】
であり、一般サイクリックプレフィックスが適用される。ＰＵＣＣＨが配置されるサブフレームの２つのスロット各々で２つの資源ブロックの資源インデックスが上記表７のように決定される。
【０２４１】
第８例
【０２４２】
第８例で、ＡＣＫ／ＮＡＫチャネルとＣＱＩチャネルは、資源ブロックによって伝達され、一般サイクリックプレフィックスが適用される。
ここで、
【０２４３】
【数８０】
0005400069.tif 000088
【０２４４】
【表８】
0005400069.tif 000089
【０２４５】
上記表８は、ＣＳ／ＯＣシーケンス再配置の例を開示している。
【０２４６】
【数８１】
0005400069.tif 000090
【０２４７】
であり、一般サイクリックプレフィックスが適用される。ＰＵＣＣＨが配置されるサブフレームの２つのスロット各々で２つの資源ブロックの資源インデックスが上記表８のように決定される。
【符号の説明】
【０２４８】
１１１  直交振幅変調器
１１３  直並列変換機
１１５  逆高速フーリエ変換機
１１７  並直列変換機
１１９  サイクリックプレフィックス
１２０  送信信号処理機
１２１  サイクリックプレフィックス除去機
１２２  受信信号処理機
１２３  直並列変換機
１２５  高速フーリエ変換機
１２９  直交振幅復調器
【図１】
0005400069.tif 000127
【図２】
0005400069.tif 000128
【図３】
0005400069.tif 000129
【図４】
0005400069.tif 000130
【図５】
0005400069.tif 000131